【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
車両に搭載された１つのディスプレイ（２）に複数の画像を表示させる表示制御装置であって、
前記ディスプレイに表示する画像を決定する複数の画像決定部（２６、２８）と、
前記複数の画像決定部のうち監視対象となっている前記画像決定部が正常であるか異常であるかを逐次監視する状態監視部（２５）と、
前記監視対象となっている前記画像決定部が異常であることにより、前記ディスプレイにエラー画像が表示されていると、前記状態監視部が判断した場合に、前記エラー画像による違和感が生じにくくなるように、前記ディスプレイに表示されている表示態様を変更する表示態様決定部（２４）と、を備え、
前記表示態様決定部は、前記エラー画像を消去して、前記ディスプレイに表示されている残りの画像を再配置することで、前記エラー画像による違和感が生じにくくする表示制御装置。
【請求項２】
車両に搭載された１つのディスプレイ（２）に複数の画像を表示させる表示制御装置であって、
前記ディスプレイに表示する画像を決定する複数の画像決定部（２６、２８）と、
前記複数の画像決定部のうち監視対象となっている前記画像決定部が正常であるか異常であるかを逐次監視する状態監視部（２５）と、
前記監視対象となっている前記画像決定部が異常であることにより、前記ディスプレイにエラー画像が表示されていると、前記状態監視部が判断した場合に、前記エラー画像による違和感が生じにくくなるように、前記ディスプレイに表示されている表示態様を変更する表示態様決定部（２４）と、を備え、
前記表示態様決定部は、前記エラー画像をグレーアウトすることで、前記エラー画像による違和感が生じにくくする表示制御装置。
【請求項３】
車両に搭載された１つのディスプレイ（２）に複数の画像を表示させる表示制御装置であって、
前記ディスプレイに表示する画像を決定する複数の画像決定部（２６、２８）と、
前記複数の画像決定部のうち監視対象となっている前記画像決定部が正常であるか異常であるかを逐次監視する状態監視部（２５）と、
前記監視対象となっている前記画像決定部が異常であることにより、前記ディスプレイにエラー画像が表示されていると、前記状態監視部が判断した場合に、前記エラー画像による違和感が生じにくくなるように、前記ディスプレイに表示されている表示態様を変更する表示態様決定部（２４）と、を備え、
前記表示態様決定部は、前記エラー画像に代えて、表示が異常状態になっていることを示す文字を表示することで、前記エラー画像による違和感が生じにくくする表示制御装置。
【請求項４】
コンピュータ（３）を備え、
前記コンピュータは、
相対的に安定性が高い高安定オペレーティングシステム（１２）と、前記高安定オペレーティングシステムよりも相対的に安定性が低い低安定オペレーティングシステム（１３）と、
前記低安定オペレーティングシステム上で動作し、前記コンピュータを、前記画像決定部の１つである低安定側画像決定部（２８）として機能させる低安定側画像決定アプリケーション（１８）と、
前記高安定オペレーティングシステム上で動作し、前記コンピュータを、前記画像決定部の１つである高安定側画像決定部（２６）として機能させる高安定側画像決定アプリケーション（１６）と、
前記高安定オペレーティングシステムまたは前記低安定オペレーティングシステム上で動作し、前記コンピュータを前記状態監視部として機能させる状態監視アプリケーション（１５）と、
前記高安定オペレーティングシステムまたは前記低安定オペレーティングシステム上で動作し、前記コンピュータを前記表示態様決定部として機能させる表示態様決定アプリケーション（１４）とを備え、
前記状態監視部は、前記低安定側画像決定部を前記監視対象とする請求項１〜３のいずれか１項に記載の表示制御装置。
【請求項５】
前記表示態様決定アプリケーションは、前記高安定オペレーティングシステム上で動作する、請求項４に記載の表示制御装置。
【請求項６】
前記状態監視アプリケーションは、前記高安定オペレーティングシステム上で動作する、請求項４または５に記載の表示制御装置。
【請求項７】
前記コンピュータにより実行されるハイパーバイザー（１１）を備え、
前記高安定オペレーティングシステムおよび前記低安定オペレーティングシステムは、前記ハイパーバイザー上で動作する、請求項４〜６のいずれか１項に記載の表示制御装置。
【請求項８】
前記高安定側画像決定部は、前記ディスプレイに表示する、前記車両の速度を含む前記車両の走行状態に関する画像（３０）を決定する、請求項４〜７のいずれか１項に記載の表示制御装置。
【請求項９】
前記低安定側画像決定部は、前記ディスプレイに表示する地図画像（３２）を決定する、請求項４〜８のいずれか１項に記載の表示制御装置。
【請求項１０】
前記低安定オペレーティングシステム上で動作し、前記コンピュータを、前記低安定側画像決定アプリケーションの動作を監視して、監視結果を前記状態監視アプリケーションに通知する状態監視スレーブ（２７）として機能させる状態監視スレーブアプリケーション（１７）を備える、請求項４〜９のいずれか１項に記載の表示制御装置。
【手続補正２】
【補正対象書類名】明細書
【補正対象項目名】発明の名称
【補正方法】変更
【補正の内容】
【発明の名称】表示制御装置
【手続補正３】
【補正対象書類名】明細書
【補正対象項目名】０００１
【補正方法】変更
【補正の内容】
【０００１】
表示制御装置に関し、特に、アプリケーション異常時の表示制御技術に関する。
【手続補正４】
【補正対象書類名】明細書
【補正対象項目名】０００５
【補正方法】変更
【補正の内容】
【０００５】
本開示は、この事情に基づいて成されたものであり、その目的とするところは、一部のアプリケーションが表示する画像がエラー画像になった場合にも、ユーザに違和感を与えにくい表示制御装置を提供することにある。
【手続補正５】
【補正対象書類名】明細書
【補正対象項目名】０００７
【補正方法】変更
【補正の内容】
【０００７】
上記目的を達成するための表示制御装置に係る１つの開示は、
車両に搭載された１つのディスプレイ（２）に複数の画像を表示させる表示制御装置であって、
ディスプレイに表示する画像を決定する複数の画像決定部（２６、２８）と、
複数の画像決定部のうち監視対象となっている画像決定部が正常であるか異常であるかを逐次監視する状態監視部（２５）と、
監視対象となっている画像決定部が異常であることにより、ディスプレイにエラー画像が表示されていると、状態監視部が判断した場合に、エラー画像による違和感が生じにくくなるように、ディスプレイに表示されている表示態様を変更する表示態様決定部（２４）と、を備え、
表示態様決定部は、エラー画像を消去して、ディスプレイに表示されている残りの画像を再配置することで、エラー画像による違和感が生じにくくする表示制御装置である。
上記目的を達成するための表示制御装置に係る他の１つの開示は、
車両に搭載された１つのディスプレイ（２）に複数の画像を表示させる表示制御装置であって、
ディスプレイに表示する画像を決定する複数の画像決定部（２６、２８）と、
複数の画像決定部のうち監視対象となっている画像決定部が正常であるか異常であるかを逐次監視する状態監視部（２５）と、
監視対象となっている画像決定部が異常であることにより、ディスプレイにエラー画像が表示されていると、状態監視部が判断した場合に、エラー画像による違和感が生じにくくなるように、ディスプレイに表示されている表示態様を変更する表示態様決定部（２４）と、を備え、
表示態様決定部は、エラー画像をグレーアウトすることで、エラー画像による違和感が生じにくくする表示制御装置である。
上記目的を達成するための表示制御装置に係る他の１つの開示は、
車両に搭載された１つのディスプレイ（２）に複数の画像を表示させる表示制御装置であって、
ディスプレイに表示する画像を決定する複数の画像決定部（２６、２８）と、
複数の画像決定部のうち監視対象となっている画像決定部が正常であるか異常であるかを逐次監視する状態監視部（２５）と、
監視対象となっている画像決定部が異常であることにより、ディスプレイにエラー画像が表示されていると、状態監視部が判断した場合に、エラー画像による違和感が生じにくくなるように、ディスプレイに表示されている表示態様を変更する表示態様決定部（２４）と、を備え、
表示態様決定部は、エラー画像に代えて、表示が異常状態になっていることを示す文字を表示することで、エラー画像による違和感が生じにくくする表示制御装置である。
【手続補正６】
【補正対象書類名】明細書
【補正対象項目名】０００９
【補正方法】削除
【補正の内容】